(57)【要約】【課題】  本発明の目的は、支柱と筋かいを確実に固定するとともに、外観を損ねることなく筋かいを固定することが可能な筋かい固定金物及び筋かい固定方法を提供することにある。【解決手段】  土台３と支柱２によって形成される内隅部に筋かい部材１を固定するための筋かい固定金物１０に関する。  筋かい固定金物１０は、筋かい部材１を固定する筋かい固定部１２と、筋かい固定部１２を支持する支持部１１と、を有して構成され、支持部１１は、土台３に配設されるとともに、支柱２を支持し、筋かい固定部１２は、筋かい部材１内部に位置した状態で、固着手段１３により筋かい部材１に固定される。【選択図】        図１
2006152723.tif 000002
【特許請求の範囲】
【請求項１】
土台と支柱によって形成される内隅部に筋かい部材を固定するための筋かい固定金物であって、
前記筋かい固定金物は、前記筋かい部材を固定する筋かい固定部と、該筋かい固定部を支持する支持部と、を有して構成され、
前記支持部は、前記土台に配設されるとともに、前記支柱を支持し、
前記筋かい固定部は、前記筋かい部材内部に位置した状態で、固着手段により前記筋かい部材に固定されることを特徴とする筋かい固定金物。
【請求項２】
前記筋かい部材には、前記筋かい固定部に係合するスリットが形成されていることを特徴とする請求項１に記載の筋かい固定金物。
【請求項３】
前記土台と前記支柱は、一端が前記支柱に埋設され、他端側が前記土台に埋設された接合部材によって接合されており、
前記支持部には、前記接合部材を配設するための接合部材用貫通孔が形成されていることを特徴とする請求項１に記載の筋かい固定金物。
【請求項４】
前記筋かい固定部には、前記固着手段を貫通させるための貫通孔が形成されており、前記筋かい部材と前記筋かい固定部とは、前記筋かい部材の外部から前記貫通孔に向けて、前記固着手段を配設することにより固定されることを特徴とする請求項１に記載の筋かい固定金物。
【請求項５】
前記筋かい部材には、該筋かい部材の側面から前記貫通孔に向けて、前記固着手段を誘導するためのガイド孔が設けられていることを特徴とする請求項４に記載の筋かい固定金物。
【請求項６】
筋かい部材を固定する筋かい固定部と、該筋かい固定部を支持する支持部と、を備えて構成される筋かい固定金物によって、土台と支柱によって形成される内隅部に筋かい部材を固定するための筋かい部材固定方法であって、
前記土台と前記支柱との間に、前記支持部材の一部が位置した状態で、前記支柱を前記土台に固定する第１の工程と、
前記筋かい部材の底面から切り込まれたスリットを前記筋かい固定部に係合させる第２の工程と、
前記筋かい部材と前記筋かい固定部とを固着する固着部材を、前記筋かい部材外部から前記筋かい固定部に貫通させて配設し、前記筋かい部材と前記筋かい固定部とを固定する第３の工程と、を行なうことを特徴とする筋かい部材固定方法。
【発明の詳細な説明】
【技術分野】
【０００１】
本発明は、筋かい固定金物及び筋かい固定方法に関し、より詳細には、筋かいを支柱に確実に固定することのできる筋かい固定金物及び筋かい固定方法に関するものである。
【背景技術】
【０００２】
従来より、筋かい構造を装飾として用いたバルコニーの手摺やフェンス等が知られている。
しかし、筋かいは、土台に対して傾斜して設置されるものであるため、筋かいを高い強度で立設することは困難であった。
このため、従来、様々な部材を使用することによって、強度をもたせて筋かいを固定する技術が提供されてきたが、より高い強度で筋かいを固定することが可能な技術が望まれていた。
【０００３】
このため、筋かいを土台と支柱により確実に固定することを目的として、筋かい連結金物が開発されている（例えば、特許文献１参照）。
特許文献１には、互いに直交する柱固定片、横架材固定片、筋かい固定片の３壁を有する筋かい連結金物が開示されている。
特許文献１に記載された筋かい連結金物では、柱固定片に柱を、横架材固定片に横架材を、筋かい固定片に筋かいを接合させて、ボルトで固定することにより、筋かいを固定するように構成されている。なお、この筋かい連結金物は、基礎とアンカーボルトで連結されている。
【０００４】
【特許文献１】特開平０９−１７７１７４号公報（第３頁及び第４頁、図１及び図６）
【発明の開示】
【発明が解決しようとする課題】
【０００５】
しかし、上記特許文献１の技術では、筋かい連結金物を外部に装着するため、筋かいを設置した後に、筋かい連結金物全体が外部に露見することとなる。
このため、筋かい構造を装飾として用いたバルコニーの手摺やフェンス等に使用した場合には、デザイン性が損なわれるという問題があった。
【０００６】
上記問題を解決するため、図９に示すように、支柱２と筋かい１を一本のボルト１１１で固定する方法が知られている。
この方法によれば、筋かい固定用部材が外部に露見する部分が少なくなる。
しかし、依然として、ボルトの頭と脚が露出しており、デザイン性が損なわれるという問題点があった。
【０００７】
本発明の目的は、上記各問題点を解決することにあり、支柱と筋かいを確実に固定するとともに、外観を損ねることなく筋かいを固定することが可能な筋かい固定金物及び筋かい固定方法を提供することにある。
【課題を解決するための手段】
【０００８】
上記課題は、請求項１に係る発明によれば、土台と支柱によって形成される内隅部に筋かい部材を固定するための筋かい固定金物であって、前記筋かい固定金物は、前記筋かい部材を固定する筋かい固定部と、該筋かい固定部を支持する支持部と、を有して構成され、前記支持部は、前記土台に配設されるとともに、前記支柱を支持し、前記筋かい固定部は、前記筋かい部材内部に位置した状態で、固着手段により前記筋かい部材に固定されることにより解決される。
【０００９】
上記課題は、請求項６に係る発明によれば、筋かい部材を固定する筋かい固定部と、該筋かい固定部を支持する支持部と、を備えて構成される筋かい固定金物によって、土台と支柱によって形成される内隅部に筋かい部材を固定するための筋かい部材固定方法であって、前記土台と前記支柱との間に、前記支持部材の一部が位置した状態で、前記支柱を前記土台に固定する第１の工程と、前記筋かい部材の底面から切り込まれたスリットを前記筋かい固定部に係合させる第２の工程と、前記筋かい部材と前記筋かい固定部とを固着する固着部材を、前記筋かい部材外部から前記筋かい固定部に貫通させて配設し、前記筋かい部材と前記筋かい固定部とを固定する第３の工程と、を行なうことにより解決される。
【００１０】
このように、土台と支柱との間に、支持部材の一部が位置した状態で、支柱が土台に固定される。
また、筋かい固定部を筋かい部材の内部に埋設した状態で固定することによって、筋かい部材を固定する。
よって、本発明に係る筋かい固定金物を用いて筋かいを立設した場合、この筋かい固定金物は、外部にほとんど露見しない。
従って、筋かい部材が立設された状態での外観性を損ねることなく、支柱と筋かい部材を固定することが可能となる。
【００１１】
このとき、前記筋かい部材には、前記筋かい固定部を係合するためのスリットが形成されていると好適である。
またこのとき、前記土台と前記支柱は、一端が前記支柱に埋設され、他端側が前記土台に埋設された接合部材によって接合されており前記支持部には、前記接合部材を配設するための接合部材用貫通孔が形成されていると好適である。
【００１２】
このように構成されていると、スリットに筋かい固定部が埋設されるため、筋かいが立設された状態において、筋かい固定部が露出することがなくなる。
よって、外観性を損ねることがなく、高い商品性が得られる。
また、筋かい部材にスリットを形成しておけば、筋かい固定部と筋かい部材の位置合わせを行なう必要がなくなり、簡易に筋かい部材を所定位置に配設することができる。
更に、支持部に接合部材を貫通させることが可能となり、支持部を挟持した状態で土台と支柱を簡易に接続することができるとともに、接合部材が外部に露見することがなくなりデザイン性も向上する。
【００１３】
また、このとき、前記筋かい固定部には、前記固着手段を貫通させるための貫通孔が形成されており、前記筋かい部材と前記筋かい固定部とは、前記筋かい部材の外部から前記貫通孔に向けて、前記固着手段を配設することにより固定されると好適である。
更に、このとき、前記筋かい部材には、該筋かい部材の側面から前記貫通孔に向けて、前記固着手段を誘導するためのガイド孔が設けられていると好適である。
【００１４】
このように構成されていると、筋かい外部から、筋かい固定部に形成された貫通孔に向けて、固着手段を配設することにより筋かい部材を固定するため、固着手段が、ドリフトピン等を用いた場合には、ドリフトピンはほとんど露見しない。
よって、外観性を損ねることがなく、高い商品性を得られる。
また、このように固定することによって、筋かい部材を高い強度で立設することができる。
更に、貫通孔に向けてガイド孔が設けられているため、貫通孔の位置を容易に認識することができ、容易に筋かい部材を固定することができるため好適である。
【発明の効果】
【００１５】
本発明によれば、筋かい固定部材の支持部は、支柱と土台に挟持された状態で固定される。
また、筋かい固定部を筋かい部材の内部に埋設した状態で固定することによって、筋かい部材を固定する。
よって、本発明に係る筋かい固定金物を用いて筋かい部材を立設した場合、この筋かい固定金物は、外部にほとんど露見しない。
従って、筋かい部材が立設された状態での外観性を損ねることなく、支柱と筋かい部材を固定することが可能となる。
【００１６】
バルコニーの手摺やフェンス等は、装飾としての目的をも備えて設置されるものであるが、本発明に係る筋かい固定金物を使用することにより、これら住宅設備のデザイン性が損なわれることなく、構成部材の連結を確実に行うことができる。
また、本発明による柱固定用金物は、筋かい部材が立設された状態では、ほとんど視認されないため、筋かいを立設する箇所が限定されることがなく、設計の自由性を確保することができる。
【００１７】
また、支柱と土台は、支持部を挟持した状態で接合部材により固定される。
よって、支柱と土台が高い強度で固定されるとともに、支柱と土台の間に位置した状態で固定された支持部もまた、高い強度で固定されることとなる。
このため、この支持部に支持されている筋かい固定部に固定される筋かい部材も高い強度で固定されることとなり、結果として、支柱、土台、筋かい部材がそれぞれ高い強度で立設されることとなる。
【発明を実施するための最良の形態】
【００１８】
以下、本発明の一実施例を図面に基づいて説明する。なお、以下に説明する構成は本発明を限定するものでなく、本発明の趣旨の範囲内で種々改変することができるものである。
本実施形態は、支柱と筋かい部材を確実に固定することが可能であるとともに、筋かい部材を固定する際に使用された金物が外部より視認されにくい状態で、筋かい部材を立設することが可能な筋かい固定金物に関するものである。
【００１９】
図１乃至図６は、本発明に係る実施形態を示すものであり、図１は筋かい固定金物の斜視図、図２は土台に支柱が立設される状態を示す分解図、図３は支柱が立設される状態を示す説明図、図４及び図５は筋かい部材が立設される状態を示す説明図、図６は図５をＡ方向から見た平面図である。
また、図７及び図８は、本発明の他の実施形態を示すものであり、図７は第２筋かい固定金物の斜視図、図８は筋かい部材が立設される状態を示す説明図、である。
【００２０】
図１は、本実施形態に係る筋かい固定金物１０の斜視図である。
筋かいとは、土台から略垂直に立設する支柱に対し、鋭角の角度をなして固定される柱を指す。
筋かい固定金物１０とは、支柱に筋かい部材を鋭角に固定するための部材である。
本実施形態に係る筋かい固定金物１０は、支持部としての支持板１１、筋かい固定部１２、で構成されている。
【００２１】
本実施形態に係る支持板１１は、鉄鋼製の略長方形状平板であり、略中央部から若干図１のＸ方向側短辺寄りに、接合部材用貫通孔１１ａが形成されている。
また、図１のＸ方向と反対側の短辺の略中央部から、支持板１１の長辺と略平行な方向に沿って、筋かい固定部１２が支持板１１から略垂直に立設している。
【００２２】
筋かい固定部１２は、鉄鋼製の略方形状平板であり、略中央部には、貫通孔としての固定ピン挿入孔１２ａ,１２ａは、水平方向に対して傾斜する線上に位置するように形成されている。
なお、固定ピン挿入孔１２ａ，１２ａの各中心を結ぶ線が、鉛直方向に対して形成する角度ｗは、一定の強度が確保できるように、固定される筋かい部材１と支柱２との角度に応じて決定される。
本実施形態においては、固定ピン挿入孔１２ａ，１２ａの各中心を結ぶ線が鉛直方向に対してなす鋭角ｗは、支柱２と筋かい部材１とがなす角度と、ほぼ同じになるように、穿孔されている。
【００２３】
ただし、筋かいの固定強度が確保できる範囲であれば、固定ピン挿入孔１２ａ,１２ａが穿孔される角度は、これに限られるものではなく、また、固定ピン挿入孔１２ａ，１２ａの穿孔数も２個に限られるものではない。
固定ピン挿入孔１２ａ，１２ａは、筋かい及び支柱の大きさや、要求される強度に応じて適宜必要数穿孔されるものである。
【００２４】
なお、図１の線Ｕ（筋かい固定部１２の支持板１１中央側端部を通って、支持板１１の短辺と略平行に引かれた線）で、支持板１１を分けたときに、筋かい固定部１２が立設されている部分を「筋かい支持部１１ｂ」と記し、その他の部分を「支柱支持部１１ｃ」と記す。
支柱支持部１１ｃは、立設される支柱の断面形状及び断面積とほぼ同一の形状及び面積に形成され、筋かい支持部１１ｂは、立設される筋かい部材の底面の形状及び底面積とほぼ同一の形状及び面積に形成される。
【００２５】
本実施形態に係る支柱支持部１１ｃは、一辺の長さが支持板１１の短辺の長さｓである略正方形状に形成されており、その略中央部に接合部材用貫通孔１１ａが穿孔されている。
よって、本実施形態においては、一辺がｓの略正方形状の断面を有する支柱が立設される。
本実施形態に係る筋かい支持部１１ｂは、短辺がｔ、長辺がsの略長方形状に形成されている。
よって、本実施形態においては、短辺がｔ、長辺がｓの略長方形状の底面を有する筋かい部材が立設される。
【００２６】
次いで、図２乃至図６により、本実施形態に係る筋かい固定金物１０を用いて、土台３に、支柱２及び筋かい１を立設する方法を説明する。
本実施形態に係る筋かい部材１及び支柱２は、土台３上に立設される。
組立順序としては、筋かい部材１は、土台３上に支柱２が立設された後、筋かい固定金物１０を介して支柱２に固定される。
【００２７】
まず、図２に示すとおり、支柱２は、接合部材４０により、土台３に連結固定される。
土台３としては、例えば公知の角材が使用される。
図２に示すように、土台３には、支柱２が接する側面から略垂直な方向に、土台側接合部材挿入孔３ａが穿孔されている。
土台側接合部材挿入孔３ａには、後述する接合部材４０が挿入される。
土台側接合部材挿入孔３ａは、支柱２との当接面３ｃから、略鉛直下方向（図２のＷ方向）に穿孔されている。
【００２８】
また、土台３の当接面３ｃと直交する側面の一つから、土台側支持ピンガイド孔３ｂが穿孔されている。
この土台側支持ピンガイド孔３ｂは、後述する接合部材４０が挿入されたとき、接合部材４０に形成されている支柱支持ピン貫通孔４０ａが配設される位置に向かって形成されている。
【００２９】
土台側支持ピンガイド孔３ｂは、後述する接合部材４０を固定するための支柱支持ピン４０ｃを、支柱支持ピン貫通孔４０ａに向けて打ち込む際に、ガイドとなる孔である。
ただし、この土台支持ピンガイド孔３ｂは、必ずしも設けられる必要はなく、支柱支持ピンを打ち込む位置を示すための目印を土台３の側面に付してもよい。
【００３０】
支柱２としては、例えば公知の角材が使用される。
支柱２の下端には、図２に示すとおり、土台３が接する側面から略垂直な方向に、支柱側接合部材挿入孔２ａが穿孔されている。
支柱側接合部材挿入孔２ａには、後述する接合部材４０が挿入される。
支柱側接合部材挿入孔２ａは、土台３との当接面２ｃから、略鉛直上方向（図２のＶ方向）に穿孔されている。
【００３１】
また、支柱２の当接面２ｃと直交する側面の一つから、支柱側支持ピンガイド孔２ｂが穿孔されている。
この支柱側支持ピンガイド孔２ｂは、後述する接合部材４０が挿入されたとき、接合部材４０に形成されている支柱支持ピン貫通孔４０ａが配設される位置に向かって形成される。
【００３２】
支柱側支持ピンガイド孔２ｂは、後述する接合部材４０を固定するための支柱支持ピン４０ｃを、支柱支持ピン貫通孔４０ａに向けて打ち込む際に、ガイドとなる孔である。
ただし、この土台支持ピンガイド孔３ｂは、必ずしも設けられる必要はなく、支柱支持ピンを打ち込む位置を示すための目印を支柱２の側面に付してもよい。
【００３３】
筋かい部材１としては、例えば公知の角材が使用される。
図４に示すように、筋かい部材１は、筋かい部材１及び支柱２によって形成される角度が所定の角度を形成した状態で、支柱２及び土台３によって形成される角隅部に沿うように、その端部が２箇所切り欠かれている。このように切り欠かれることにより、筋かい部材１の端部には、切り欠き面１ａ（支柱１に当接する側）及び切り欠き面１ｂ（支持板１１に当接する側）が形成される。
なお、この切り欠き面１ａ及び切り欠き面１ｂは、直交している。
また、切り欠き面１ａには、支柱１が接しており、切り欠き面１ｂには、土台３に載置された支持板１１の上面が接している。
【００３４】
なお、切り欠き面１ｂから略鉛直上部方向に向かって、スリット１ｃが形成されている。
このスリット１ｃは、土台３の長手方向に略平行に切り込まれている。
このスリット１ｃは、筋かい固定金物１０に形成された筋かい固定部１２が挿入されるスリットであり、その幅は筋かい固定部１２の厚さとほぼ同一に形成されている。
また、スリット１ｃの形状は、筋かい固定部１２が係合するように、筋かい固定部１２の形状とほぼ同一の形状に形成されていると好適である。
【００３５】
また、切り欠き面１ｂと略垂直な側面から、ガイド孔としてのピンガイド孔１ｄ，１ｄが穿孔されている。
このピンガイド孔１ｄ，１ｄは、スリット１ｃに筋かい固定部１２が挿入されたとき、固定ピン挿入孔１２ａ，１２ａが配設される位置に向かって穿孔されている。
ピンガイド孔１ｄ，１ｄは、筋かい固定部１２を固定するための固定ピンを、固定ピン挿入孔１２ａ，１２ａに向けて打ち込む際に、ガイドとなる孔である。
ただし、このピンガイド孔１ｄ，１ｄは、必ずしも設けられる必要はなく、固定ピンを打ち込む位置を示すための目印を筋かい部材１の側面に付してもよい。
【００３６】
接合部材４０は、例えば略円筒状の部材から形成されており、その鉛直方向の長さは、支柱側接合部材挿入孔２ａの鉛直方向の長さと土台側接合部材挿入孔３ａの鉛直方向の長さの和とほぼ同一となっている。
また、接合部材４０の外径は、土台側接合部材挿入孔３ａの内径及び支柱側接合部材挿入孔２ａの内径より僅かに小さく形成されている。
【００３７】
接合部材４０の上端（図２のＶ方向側端部）と下端（図２のＷ方向側端部）には、それぞれ支柱支持ピン貫通孔４０ａ，４０ａが形成されている。
接合部材４０が支柱２及び土台３に埋設された後、この支柱支持ピン貫通孔４０ａ，４０ａに向けて、支柱支持ピン４０ｃ，４０ｃが、支柱２及び土台３の外部より打ち込まれる。
このように、支柱支持ピン４０ｃ，４０ｃが打ち込まれることにより、支柱２が、接合部材４０を介して、土台３及び筋かい固定金物１０に固定される。
【００３８】
なお、支柱支持ピン４０ｃ，４０ｃとしては、公知のドリフトピンが使用される。
また、支柱支持ピン貫通孔４０ａ，４０ａの口径は、支柱支持ピン４０ｃ，４０ｃの径より僅かに小さく形成されている。
よって、支柱支持ピン４０ｃ，４０ｃは、支柱支持ピン貫通孔４０ａ，４０ａを押し広げた状態で、固定される。
このため、支柱支持ピン４０ｃ，４０ｃは支柱支持ピン貫通孔４０ａ，４０ａに密着し、接合部材４０は、支柱支持ピン４０ｃ，４０ｃによって確実に固定される。
【００３９】
また、支柱支持ピン４０ｃの外径は、土台側支持ピンガイド孔３ｂの内径及び支柱側支持ピンガイド孔２ｂの内径よりも若干大きく形成されている。
なお、接合部材４０の素材は、立設する支柱に要求される強度により選択されるが、本実施形態では、鉄鋼製の接合部材４０を使用している。
【００４０】
（支柱立設方法）
支柱２と土台３とは、図２及び図３に示すとおり、接合部材４０を介して連結される。
まず、図２に示すように、土台３の所定位置へ筋かい固定金物１０を載置する。
このとき、土台３に形成された土台側接合部材挿入孔３ａと、筋かい固定金物１０に形成された接合部材用貫通孔１１ａとが連通する位置へ、筋かい固定金物１０を載置する。
【００４１】
次いで、接合部材４０の下端側を、接合部材用貫通孔１１ｂを貫通させて、土台３に形成された土台側接合部材挿入孔３ａに挿入する。
この状態で、土台側支持ピンガイド孔３ｂに沿って（支柱支持ピン貫通孔４０ａに向かって）、支柱支持ピン４０ｃを打ち込み、接合部材４０を土台３に固定する。
【００４２】
次いで、図３に示すように、支柱側接合部材挿入孔２ａを接合部材４０の上端側に挿入する。
挿入後、図４に示すように、支柱支持ピンガイド孔２ｂに沿って（支柱支持ピン貫通孔４０ａに向かって）、支柱支持ピン４０ｃを打ち込み、接合部材４０を支柱１に固定する。
前述したとおり、支柱側接合部材挿入孔２ａの鉛直方向の長さと土台側接合部材挿入孔３ａの鉛直方向の長さの和は、接合部材４０の鉛直方向の長さとほぼ同一となっているので、接合部材４０が、支柱側接合部材挿入孔２ａ及び土台側接合部材挿入孔３ａに挿入されて固定されると、支柱２の底面は、土台３に載置された支持板１１の上面に当接した状態で固定されることとなる。
【００４３】
（筋かい部材立設方法）
図４及び図５に示すように、筋かい部材１は、筋かい固定金物１０に形成された筋かい固定部１２によって、支柱１に固定される。
まず、図４に示すように、筋かい部材１は、その切り欠き面１ａを支柱２と対向する方向へ向けて設置される。
このとき、筋かい部材１に形成されたスリット１ｃには、筋かい固定金物１０に形成された筋かい固定部１２が挿入される。
筋かい部材１が、筋かい固定部１２に挿入された状態においては、筋かい部材１の切り欠き面１ａと支柱１の側面とが当接し、切り欠き面１ｂと筋かい固定金物１０の支持板１１とが当接している。
【００４４】
次いで、図５に示すように、ピンガイド孔１ｄ，１ｄに沿って（固定ピン挿入孔１２ａ，１２ａが配設される位置に向かって）、固定ピン１３，１３を打ち込む。このようにして、筋かい部材１は、筋かい固定金物１０を介して、土台３及び支柱２に固定される。
【００４５】
なお、固定ピン１３，１３としては、例えば公知のドリフトピンが使用される。
また、固定ピン１３，１３の外径は、筋かい固定部１２に穿孔された固定ピン挿入孔１２ａ，１２ａの径よりも若干大きく形成されている。
よって、固定ピンが固定ピン挿入孔１２ａ，１２ａに打ち込まれると、固定ピンは、固定ピン挿入孔１２ａ，１２ａを押し広げた状態で、固定ピン挿入孔１２ａ，１２ａを貫通する。
【００４６】
このため、固定ピンは固定ピン挿入孔１２ａ，１２ａに密着し、筋かい固定部１２は、固定ピンによって確実に固定される。
図６は、筋かい部材１が固定された状態を、図５のＡ方向から見た平面図である。
このようにして、筋かい部材１は土台３と支柱２で形成される角隅部に設置される。
【００４７】
図７及び図８は、筋かい固定金物の他の実施形態を示す説明図である。本実施形態において、前記実施形態と同様部材等には同一符号を付し、その説明を省略し、相違点のみ説明する。
図７に示す第２筋かい固定金物２０は、コーナ部に筋かいを設置する際に使用される金物である。
図７に示すように、第２筋かい固定金物２０は、筋かい固定金物１０に、筋かい支持部１１ｂを更に一つ加えた構成となっている。
第２筋かい固定金物２０は、支柱支持部１１ｃと２個の筋かい支持部１１ｂ，１１ｂとで構成されている。
筋かい支持部１２ｂ，１２ｂは、支柱支持部１１ｃの略直交する２辺に各々連続して形成されている。
支柱支持部１１ｃ及び筋かい支持部１２ｂ，１２ｂの構成は、固定金物１０と同様である。
【００４８】
次いで、第２筋かい固定金物２０を用いて、土台３，３上に支柱２及び筋かい部材１，１を立設する方法を説明する。
まず、第２筋かい固定金物２０を、コーナ部上面に載置する。
支柱２を土台３に固定する方法は、筋かい固定金物１０を使用する場合と同様である。
次いで、筋かい部材１，１を立設する様子を図８に示す。
なお、図８では、図が煩雑になるため、ピンガイド孔１ｄ，１ｄ，１ｄ，１ｄは省略しているが、筋かい固定金物１０を使用する場合と同様に、筋かい部材１，１には、ピンガイド孔１ｄ，１ｄ，１ｄ，１ｄが穿孔されている。
【００４９】
図８に示すように、筋かい部材１，１は、その切り欠き面１ａ，１ａを支柱２と対向する方向へ向けて、各々設置される。
このとき、筋かい部材１，１に形成されたスリット１ｃ，１ｃには、第２筋かい固定金物２０に形成された筋かい固定部１２，１２が挿入される。
筋かい部材１，１が、筋かい固定部１２，１２に挿入された状態においては、筋かい部材１，１の切り欠き面１ａ，１ａと支柱１の側面とが当接し、切り欠き面１ｂ，１ｂと第２筋かい固定金物２０の支持板１１とが当接している。
【００５０】
次いで、筋かい固定金物１０を使用する場合と同様に、ピンガイド孔１ｄ，１ｄ，１ｄ，１ｄに沿って（固定ピン挿入孔１２ａ，１２ａ，１２ａ，１２ａが配設される位置に向かって）、固定ピン１３，１３，１３，１３を打ち込む。このようにして、筋かい部材１，１は、第２筋かい固定金物２０を介して、土台３，３及び支柱２に固定される。
このように、コーナ部においても、１本の支柱２に対して、２本の筋かい部材１，１を固定することが可能となる。
【図面の簡単な説明】
【００５１】
【図１】本発明の一実施形態に係る筋かい固定金物の斜視図の全体図である。
【図２】本発明の一実施形態に係る支柱が土台に立設される状態を示す分解図である。
【図３】本発明の一実施形態に係る支柱が立設される状態を示す説明図である。
【図４】本発明の一実施形態に係る筋かい部材が立設される状態を示す説明図である。
【図５】本発明の一実施形態に係る筋かい部材が立設される状態を示す説明図である。
【図６】図５をＡ方向から見た平面図である。
【図７】本発明の他の実施形態に係る第２筋かい固定金物の斜視図である。
【図８】本発明他の実施形態に係る筋かい部材が立設される状態を示す説明図である。
【図９】公知技術を示す説明図である。
【符号の説明】
【００５２】
１  筋かい部材
１ａ  切り欠き面
１ｂ  切り欠き面
１ｃ  スリット
１ｄ  ガイド孔（ピンガイド孔）
２  支柱
２ａ  支柱側接合部材挿入孔
２ｂ  支柱側支持ピンガイド孔
２ｃ  当接面
３  土台
３ａ  土台側接合部材挿入孔
３ｂ  土台側支持ピンガイド孔
３ｃ  当接面
１０  筋かい固定金物
１１  支持部（支持板）
１１ａ  接合部材用貫通孔
１１ｂ  筋かい支持部
１１ｃ  支柱支持部
１２  筋かい固定部
１２ａ  貫通孔（固定ピン挿入孔）
１３  固着手段（固定ピン）
２０  第２筋かい固定金物
４０  接合部材
４０ａ  支柱支持ピン貫通孔
４０ｃ  支柱支持ピン
１１１  ボルト
【図１】
2006152723.tif 000003
【図２】
2006152723.tif 000004
【図３】
2006152723.tif 000005
【図４】
2006152723.tif 000006
【図５】
2006152723.tif 000007
【図６】
2006152723.tif 000008
【図７】
2006152723.tif 000009
【図８】
2006152723.tif 000010
【図９】
2006152723.tif 000011